(57)【要約】    【課題】  被験者の負担を少なくして、プラナー画像（核医学検査平面画像）と核医学検査三次元画像を得ることのできる装置を提供する。    【手段】  三次元データ取得手段２は、核医学検査三次元データであるＳＰＥＣＴデータを取得する。異断面データ生成手段４は、被験者の体軸方向に垂直な検査画像による三次元データに基づいて、たとえば体軸方向に水平な断面であって、心臓や肺などの注目領域を含む異断面の異断面データを生成する。さらに、この異断面に水平な複数の異断面における異断面データを生成する。合成手段６は、これら複数の異断面データを合成してプラナー画像を生成する。【選択図】  図１
2020079745.tif 000002
【特許請求の範囲】
【請求項１】
被検者の検査断面において計測した核医学検査三次元データに基づいて画像を生成する装置であって、
核医学検査三次元データを取得する三次元データ取得手段と、
取得した前記核医学検査三次元データに基づいて、前記検査断面とは異なる方向の断面であって注目領域を含む断面および当該断面に平行な複数の断面における複数の異断面データを生成する異断面データ生成手段と、
前記複数の異断面データを合成してプラナー画像を得る合成手段と、
を備えた画像生成装置。
【請求項２】
被検者の検査断面における核医学検査三次元データに基づいて画像を生成する画像生成装置をコンピュータによって実現するための画像生成プログラムであって、コンピュータを、
核医学検査三次元データを取得する三次元データ取得手段と、
取得した前記核医学検査三次元データに基づいて、前記検査断面とは異なる方向の断面であって注目領域を含む断面および当該断面に平行な複数の断面における複数の異断面データを生成する異断面データ生成手段と、
前記複数の異断面データを合成してプラナー画像を得る合成手段として機能させるための画像生成プログラム。
【請求項３】
請求項１の装置または請求項２のプログラムにおいて、
前記異断面データは、前記体軸方向に垂直な検査断面に対して垂直な断面に基づいて生成されることを特徴とする装置またはプログラム。
【請求項４】
請求項１〜３のいずれかの装置またはプログラムにおいて、
前記合成手段は、注目領域を含む断面の異断面データのみを合成してプラナー画像を生成することを特徴とする装置またはプログラム。
【請求項５】
請求項１〜４のいずれかの装置またはプログラムにおいて、
前記合成手段は、比較すべき注目領域ごとに、当該注目領域を含む断面の異断面データのみを合成してプラナー画像を生成することを特徴とする装置またはプログラム。
【請求項６】
請求項１〜５のいずれかの装置またはプログラムにおいて、
前記合成手段は、前記異断面データを単純に加算して、あるいは体表からの距離に応じて前記異断面データをウエイトづけして加算することを特徴とする装置またはプログラム。
【請求項７】
請求項１〜６のいずれかの装置またはプログラムにおいて、
前記合成手段は、画像のフィルタリングを行っていない核医学検査三次元データに基づいて異断面データを合成することを特徴とする装置またはプログラム。
【請求項８】
請求項１〜６のいずれかの装置またはプログラムにおいて、
前記合成手段は、画像のフィルタリングが既になされた異断面データを合成することを特徴とする装置またはプログラム。
【請求項９】
請求項１〜８のいずれかの装置またはプログラムにおいて、
前記注目領域は、心臓と肺、左肺と右肺または、心臓と血流の無い部分であることを特徴とする装置またはプログラム。
【請求項１０】
請求項１〜９のいずれかの装置またはプログラムにおいて、
前記核医学検査三次元データは、ＳＰＥＣＴデータまたはＰＥＴデータであることを特徴とする装置またはプログラム。
【請求項１１】
被検者の検査断面における核医学検査三次元データに基づいて画像を生成するサーバ装置であって、
端末装置から、核医学検査三次元データを取得する三次元データ取得手段と、
取得した前記核医学検査三次元データに基づいて、前記検査断面とは異なる方向の断面であって注目領域を含む断面および当該断面に平行な複数の断面における複数の異断面データを生成する異断面データ生成手段と、
前記複数の異断面データを合成してプラナー画像を得る合成手段と、
前記プラナー画像を、前記端末装置に送信する送信手段と、
を備えた画像生成サーバ装置。
【請求項１２】
身体内に導入した放射線源からの放射量を検出する検出部と、
検出部によって検出された放射量に基づいて、被検者の検査断面における核医学検査三次元データを生成する核医学検査三次元データ生成手段と、
前記核医学検査三次元データに基づいて、前記検査断面とは異なる方向の断面であって注目領域を含む断面および当該断面に平行な複数の断面における複数の異断面データを生成する異断面データ生成手段と、
前記複数の異断面データを合成してプラナーデータを得る合成手段と、
を備えた核医学検査装置。
【請求項１３】
肺野部を有するファントムを用いた核医学画像の製造方法であって、
肺野部に球状の発泡スチロールを詰めた後に放射性水溶液を注入して各医学的撮像を行うことで、核医学画像を製造する方法。
【発明の詳細な説明】
【技術分野】
【０００１】
この発明は、ＳＰＥＣＴ画像などの、被検者の体軸方向に垂直な検査断面において計測した核医学検査三次元画像に基づいてプラナー画像を生成する技術に関するものである。
【背景技術】
【０００２】
放射性医薬品を被験者に注入し、放射線の分布をガンマカメラにて測定して平面的な画像（プラナー画像、核医学検査平面画像）にすることが行われている。これは、２つの臓器の機能などを比較する際に用いられている。たとえば、血液に放射性医薬品を注入し、血流をプラナー画像とすることにより、肺や心臓の機能を比較することができる。
【０００３】
一方、ＳＰＥＣＴ検査装置や、ＰＥＴ検査装置のように、被検者の体軸方向に垂直な検査断面における核医学検査三次元画像を撮像する装置もある。これにより、脳などの血流状態を立体的に解析することができ、アルツハイマー病の診断などに用いられている。
【０００４】
これら平面的な画像と三次元画像は、それぞれ診断の目的に応じて優位性があり使い分けられている。
【先行技術文献】
【特許文献】
【０００５】
【特許文献１】特開２０１２−２２０３０５
【発明の概要】
【発明が解決しようとする課題】
【０００６】
しかしながら、プラナー画像（核医学検査平面画像）の撮像、ＳＰＥＣＴ画像やＰＥＴ画像など（核医学検査三次元画像）の撮像は、いずれも、放射性医薬品の注入から始まり、圧迫感のある装置での比較的長時間の撮像があり、被験者にとって精神的、肉体的な負担が大きいものである。
【０００７】
上述のように、プラナー画像も核医学検査三次元画像も、それぞれの優位性があるため、場合によって双方の画像が必要となることもある。あるいは、いずれの画像を診断に用いた方がよいかは、プラナー画像、核医学検査三次元画像の双方を撮像して初めて判断できる場合もある。
【０００８】
したがって、本来であれば、プラナー画像、核医学検査三次元画像の双方を撮像することが好ましいが、両画像の撮像原理が異なるため、それぞれの撮像を行わなければならず、被験者の負担が大きかった。このため、診断のために好ましいことがわかっていても、プラナー画像の撮像を省くことが多かった。
【０００９】
たとえば、特許文献１においては、被検者に対する心理的圧迫を少なくした装置が提案されているが、根本的な解決策ではなかった。
【００１０】
この発明は、上記のような問題点を解決して、被験者の負担を少なくして、プラナー画像と核医学検査三次元画像を得ることのできる装置を提供することを目的とする。
【課題を解決するための手段】
【００１１】
(1)(2)この発明に係る画像生成装置は、被検者の検査断面において計測した核医学検査三次元データに基づいてプラナー画像を生成する装置であって、核医学検査三次元データを取得する三次元データ取得手段と、取得した前記核医学検査三次元データに基づいて、前記検査断面とは異なる方向の断面であって注目領域を含む断面および当該断面に平行な複数の断面における複数の異断面データを生成する異断面データ生成手段と、前記複数の異断面データを合成してプラナー画像を得る合成手段とを備えている。
【００１２】
したがって、被検者の体軸方向に垂直な検査断面において計測した核医学検査三次元データに基づいて、プラナー画像を生成することができる。
【００１３】
(3)この発明に係る画像生成装置は、異断面データが、前記体軸方向に垂直な検査断面に対して垂直な断面に基づいて生成されることを特徴としている。
【００１４】
したがって、被検者の正面などからのプラナー画像を生成することができる。
【００１５】
(4)この発明に係る画像生成装置は、合成手段が、注目領域を含む断面の異断面データのみを合成してプラナー画像を生成することを特徴としている。
【００１６】
したがって、不要な情報の排除されたプラナー画像を生成することができる。
【００１７】
(5)この発明に係る画像生成装置は、合成手段が、比較すべき注目領域ごとに、当該注目領域を含む断面の異断面データのみを合成してプラナー画像を生成することを特徴としている。
【００１８】
したがって、注目領域ごとに不要な情報の排除されたプラナー画像を生成することができる。
【００１９】
(6)この発明に係る画像生成装置は、合成手段が、異断面データを単純に加算して、あるいは体表からの距離に応じて前記異断面データをウエイトづけして加算することを特徴としている。
【００２０】
したがって、目的に応じた適切なプラナー画像を生成することができる。
【００２１】
(7)この発明に係る画像生成装置は、合成手段が、画像のフィルタリングを行っていない核医学検査三次元データに基づいて異断面データを合成することを特徴としている。
【００２２】
したがって、フィルタリング処理のされていない核医学検査三次元データに基づいてプラナー画像を生成することができる。
【００２３】
(8)この発明に係る画像生成装置は、合成手段が、画像のフィルタリングが既になされた異断面データを合成することを特徴としている。
【００２４】
したがって、フィルタリング処理のされた核医学検査三次元データに基づいてプラナー画像を生成することができる。
【００２５】
(9)この発明に係る画像生成装置は、注目領域が、心臓と肺、左肺と右肺または、心臓と血流の無い部分であることを特徴としている。
【００２６】
したがって、これらの血流状態等を比較することができる。
【００２７】
(10)この発明に係る画像生成装置は、核医学検査三次元データが、ＳＰＥＣＴデータまたはＰＥＴデータであることを特徴としている。
【００２８】
したがって、ＳＰＥＣＴデータやＰＥＴデータに基づいてプラナー画像を生成することができる。
【００２９】
(11)この発明に係るサーバ装置は、被検者の検査断面における核医学検査三次元データに基づいてプラナー画像を生成するサーバ装置であって、端末装置から、核医学検査三次元データを取得する三次元データ取得手段と、取得した前記核医学検査三次元データに基づいて、前記検査断面とは異なる方向の断面であって注目領域を含む断面および当該断面に平行な複数の断面における複数の異断面データを生成する異断面データ生成手段と、前記複数の異断面データを合成してプラナー画像を得る合成手段と、前記プラナー画像を、前記端末装置に送信する送信手段とを備えている。
【００３０】
したがって、被検者の体軸方向に垂直な検査断面において計測した核医学検査三次元データに基づいて、プラナー画像を生成することができる。
【００３１】
(12)この発明に係る核医学検査装置は、身体内に導入した放射線源からの放射量を検出する検出部と、検出部によって検出された放射量に基づいて、被検者の検査断面における核医学検査三次元データを生成する核医学検査三次元データ生成手段と、前記核医学検査三次元データに基づいて、前記検査断面とは異なる方向の断面であって注目領域を含む断面および当該断面に平行な複数の断面における複数の異断面データを生成する異断面データ生成手段と、前記複数の異断面データを合成してプラナーデータを得る合成手段とを備えている。
【００３２】
したがって、被検者の体軸方向に垂直な検査断面において計測した核医学検査三次元データに基づいて、プラナー画像を生成することができる。
【００３３】
(13)この発明に係る核医学画像の製造方法は、肺野部を有するファントムを用いた核医学画像の製造方法であって、肺野部に球状の発泡スチロールを詰めた後に放射性水溶液を注入して核医学的撮像を行うことを特徴としている。
【００３４】
したがって、肺野部のシュミレーションを正確に行った画像を得ることができる。
【００３５】
「三次元データ取得手段」は、実施形態においては、ステップＳ２がこれに対応する。
【００３６】
「異断面データ生成手段」は、実施形態においては、ステップＳ５がこれに対応する。
【００３７】
「合成手段」は、実施形態においては、ステップＳ６がこれに対応する。
【００３８】
「画像」とは、表示された画像だけでなく、当該画像を表示するためのデータを含む概念である。
【００３９】
「プログラム」とは、ＣＰＵにより直接実行可能なプログラムだけでなく、ソース形式のプログラム、圧縮処理がされたプログラム、暗号化されたプログラム等を含む概念である。
【図面の簡単な説明】
【００４０】
【図１】この発明の一実施形態によるプラナー画像生成装置の機能ブロック図である。
【図２】プラナー画像生成装置を含むシステム構成図である。
【図３】プラナー画像生成装置のハードウエア構成である。
【図４】プラナー画像生成プログラムのフローチャートである。
【図５】ＳＰＥＣＴデータの例である。
【図６】ＳＰＥＣＴデータを画像化したものである。
【図７】ＳＰＥＣＴデータの撮像断面を示す図である。
【図８】プラナー画像生成の際の方向・範囲を指示するための画面例である。
【図９Ａ】異断面データの例である。
【図９Ｂ】プラナー画像生成処理を模式的に示す図である。
【図１０】生成されたＳＰＥＣＴプラナー画像の例である。
【図１１】ファントムの構造および使用状態を示す図である。
【図１２】ファントムのプラナー画像である。
【図１３】ファントムのＳＰＥＣＴプラナー画像である。
【図１４】プラナー画像、ＳＰＥＣＴプラナー画像の放射能濃度の直線性を比較したグラフである。
【図１５】プラナー画像、ＳＰＥＣＴプラナー画像の肺心比率の直線性を比較したグラフである。
【図１６】プラナー画像の肺心比率とＳＰＥＣＴプラナー画像の肺心比率の相関関係を示す図である。
【図１７】他の実施形態による異断面の設定を示す図である。
【図１８】他の実施形態による範囲と方向の設定画面例である。
【図１９】プラナー画像生成装置をサーバ装置として構築した場合の例である。
【図２０】プラナー画像生成装置を、画像処理装置と一体的に構成した場合のブロック図である。
【発明を実施するための形態】
【００４１】
１．機能的構成
図１に、この発明の一実施形態によるプラナー画像生成装置の機能ブロック図を示す。三次元データ取得手段２は、核医学検査三次元データであるＳＰＥＣＴデータを取得する。このＳＰＥＣＴデータは、ＳＰＥＣＴ検査装置によって撮像されて、サーバ装置に記録されたものである。ＳＰＥＣＴデータは、被験者の体軸方向に垂直な検査断面における断面画像の集合体として、三次元データとして形成されている。三次元データ取得手段２は、サーバ装置に記録されているＳＰＥＣＴデータを、ネットワークを介して取得する。
【００４２】
異断面データ生成手段４は、被験者の体軸方向に垂直な検査データによる三次元データに基づいて、たとえば体軸方向に水平な断面であって、心臓や肺などの注目領域を含む異断面の異断面データを生成する。さらに、この異断面に水平な複数の異断面における異断面データを生成する。合成手段６は、これら複数の異断面データを合成してプラナー画像を生成する。
【００４３】
以上のようにして、ＳＰＥＣＴデータに基づいてプラナー画像を生成することができる。したがって、ＳＰＥＣＴデータの撮像さえ行えば、別途、プラナー画像の撮像を行う必要がない。
【００４４】
２．ハードウエア構成
図２に、この発明の一実施形態によるプラナー画像生成装置を用いたシステムを示す。このシステムは、ガンマカメラ１０、画像処理装置１１、サーバ装置１２、プラナー画像生成装置１４を備えて構成されている。これらは院内ネットワークにて接続されている。ガンマカメラ１０は、放射性医薬品（塩化タリウム(201TI)、99mTc-テトラホスミン、123I-BMIPP、99mTc-MIBI、123I-MIBG等）を注入した被験者の放射線濃度を計測する。画像処理装置１１は、その計測データを処理して再構築し、被験者の体軸（垂直軸）に垂直な面（横断面）の断面データに再構築する。
【００４５】
再構築されたＳＰＥＣＴデータは、サーバ装置１２に送信される。サーバ装置１２は、これを記録する。プラナー画像生成装置１４は、サーバ装置１２からＳＰＥＣＴデータを取得し、プラナー画像を生成する。
【００４６】
生成されたプラナー画像は、サーバ装置１２に記録される。したがって、サーバ装置１２とネットワークにて接続された端末装置にて、プラナー画像を取得して見ることができる。
【００４７】
図３に、この発明の一実施形態によるプラナー画像生成装置のハードウエア構成を示す。ＣＰＵ２０には、メモリ２２、ディスプレイ２４、ハードディスク２６、ＤＶＤ−ＲＯＭドライブ２６、キーボード／マウス３０、通信回路３２が接続されている。通信回路３２は、ネットワークを介して、サーバ装置などと通信を行うための回路である。
【００４８】
ハードディスク２６には、オペレーティングシステム３４、プラナー画像生成プログラム３６が記録されている。プラナー画像生成プログラム３６は、オペレーティングシステム３４と協働してその機能を発揮するものである。これらプログラムは、ＤＶＤ−ＲＯＭ３８に記録されていたものを、ＤＶＤ−ＲＯＭドライブ２８を介して、ハードディスク２６にインストールしたものである。
【００４９】
３．プラナー画像生成処理
図４に、プラナー画像生成処理のフローチャートを示す。ＣＰＵ２０は、操作者のキーボード／マウス３０による操作指令を受けて、サーバ装置よりＳＰＥＣＴデータを取得する（ステップＳ１）。たとえば、ＣＰＵ２０は、患者ＩＤによって特定されたＳＰＥＣＴデータの要求指令を、通信回路３２を介して、サーバ装置に送信する。
【００５０】
サーバ装置には、ＳＰＥＣＴ装置によって撮像されたＳＰＥＣＴデータが患者ＩＤとともに記録されている。サーバ装置は、要求のあった患者ＩＤのＳＰＥＣＴデータを送信する。ＣＰＵ２０は、通信回路３２を介してこれを受信し、ハードディスク２６に記録する（ステップＳ２）。
【００５１】
ＳＰＥＣＴデータは、図７に示すように、被験者の体軸方向（垂直軸）に垂直な断面（横断面）ＳＣ１、ＳＣ２・・・ＳＣｎにおけるカウント値を示すデータである。  図５に、ＳＰＥＣＴデータの一断面の例を示す。断面上の座標（Ｘ、Ｙ）に対応づけて、カウント値が記録されている。Ｘ軸は水平軸、Ｙ軸は矢状軸である。図５に示すような断面のデータが、所定間隔ごとに記録されている。
【００５２】
図６に、ＳＰＥＣＴデータの各断面を画像化したものを示す。計数値に応じて色分けがなされている。図においては、１８枚の断面画像が示されている。
【００５３】
このように、ＳＰＥＣＴデータは、所定間隔の断面画像として構成されているので、それぞれの断面データは二次元データであるが、複数の断面画像を集合すると三次元を表現した三次元データとなっている。
【００５４】
次に、ＣＰＵ２０は、プラナー画像を生成するための方向・範囲の指示入力を受ける。図８に、指示画面の例を示す。左側に、プロジェクション画像（プロジェクションデータを画像化したもの）９０が表示されている。その右に、方向指定のための冠状面ボタン９１、矢状面ボタン９２、横断面ボタン９３が設けられている。
【００５５】
冠状面ボタン９１は、複数の平行な冠状面（体を腹側と背側に分割する平面）に基づいてプラナー画像を生成することを指示するためのボタンである。矢状面ボタン９２は、複数の平行な矢状面（身体を左右に分割する面）に基づいてプラナー画像を生成することを指示するためのボタンである。横断面ボタン９３は、複数の平行な横断面（体を上下に分ける面）に基づいてプラナー画像を生成することを指示するためのボタンである。
【００５６】
冠状面ボタン９１がクリックされると、ＣＰＵ２０は、第１幅決定画面９４に横断面を表示し、第２幅決定画面９５に冠状面９５を表示する。同様に、矢状面ボタン９２（横断面ボタン９３）がクリックされると、ＣＰＵ２０は、第１幅決定画面９４に横断面（冠状面）を表示し、第２幅決定画面９５に冠状面（矢状面）を表示する。
【００５７】
以下では、冠状面ボタン９１がクリックされたものとして説明を進める。第１幅決定画面９４には、横断面が表示され矢状軸が表示される。操作者は、この矢状軸の両端８５、８６をマウス３０によって操作して、その長さを調整することができる。ＣＰＵ２０は、この矢状軸に対応する長さの範囲のＳＰＥＣＴデータにて、プラナー画像を生成する。第１幅表示領域９７には、矢状軸の長さに応じてその画素数（断面数）がリアルタイムに表示される。
【００５８】
第２幅決定画面９５には、矢状面が表示され水平軸が表示される。操作者は、この水平軸の両端８７、８８をマウス３０によって操作して、その長さを調整することができる。ＣＰＵ２０は、この水平軸に対応する長さの範囲のＳＰＥＣＴデータにて、プラナー画像を生成する。第１幅表示領域９８には、水平軸の長さに応じてその画素数（断面数）がリアルタイムに表示される。
【００５９】
以上のようにして、生成するプラナー画像の大きさ・範囲を決定することができる。
【００６０】
ＣＰＵ２０は、後述するステップＳ５、Ｓ６の処理を画素数を粗くして実行し、予想プラナー画像９６を表示する。操作者は、これを見て、プラナー画像を生成するための方向や範囲の指示が適切であるかどうかを判断することができる。
【００６１】
操作者が、決定ボタン（図示せず）をクリックすると、ＣＰＵ２０は、指定された方向・範囲にてプラナー画像を生成する処理を行う。
【００６２】
まず、ＣＰＵ２０は、当該決定された方向・範囲にしたがってＳＰＥＣＴデータを切り取って、異断面データを生成する（ステップＳ５）。ＣＰＵ２０は、指定された範囲において、冠状面（冠状面ボタン９１が押された場合）に平行な複数の断面を所定間隔で設定する。ＣＰＵ２０は、この断面上に存在するＳＰＥＣＴデータを取得して、異断面データを生成する。
【００６３】
図９Ａに、一つの異断面のデータ例を示す。座標軸（α、β）とともに、カウント値が記録されている。このような異断面データが、所定間隔の異断面ごとに生成される。
【００６４】
続いて、ＣＰＵ２０は、各座標位置ごとに、各異断面データのカウント値を合計して、複数の異断面データを１つの異断面データに合成する（ステップＳ６）。このようにして合成された異断面データが、プラナー画像（プラナーデータ）である。
【００６５】
図９Ｂに、上記の処理を模式的に示す。複数の異断面データを合成し、プラナー画像を生成するようにしている。
【００６６】
ＣＰＵ２０は、このようにして生成したプラナー画像を、サーバ装置に送信する（ステップＳ７）。サーバ装置は、受け取ったプラナー画像を記録する。また、ＣＰＵ２０は、プラナー画像をディスプレイ２４に表示する（ステップＳ８）。
【００６７】
以上のようにして、ＳＰＥＣＴデータから注目領域（たとえば心臓と肺）に関するプラナー画像を生成することができる。
【００６８】
図１０に、生成されたプラナー画像の例を示す。これにより、心臓と肺（および縦隔）の比較を行うことができる。
【００６９】
図１０においては、左上にプラナー画像１１０が示されている。この例では、肺のＲＯＩ（関心領域）１１２と心臓のＲＯＩ１１４が示されている。なお、ＲＯＩ１１２、１１４は、予め設定しておいてもよいし、その都度、マウス３０などで設定してもよい。図において、デフォルトＲＯＩボタン１３０をクリックすると、予め設定されたＲＯＩが表示される。自由ＲＯＩボタン１２８をクリックすると、自由にＲＯＩを設定できるようになる。リセットボタン１２６をクリックすると、ＲＯＩが削除される。
【００７０】
Ｌ／Ｈボタン１１６がクリックされると、ＣＰＵ２０は、肺のＲＯＩ１１２のカウント値（平均値または最大値）を領域１２０に表示する。心臓のＲＯＩ１１４のカウント値を領域１２２に表示する。これらの表示は、Mean Count ボタン、Max Countボタンによって、平均値か最大値かを選択することができる。
【００７１】
さらに、領域１２４に、肺心比率を表示する。この表示は、Antボタン、Apexボタンによって、心臓のいずれの領域を対象とするものであるかを選択することができる。
【００７２】
このようにして、プラナー画像１１０を表示し、その解析値を併せて表示することができる。
【００７３】
また、Ｈ／Ｍボタン１１８がクリックされると、ＣＰＵ２０は、心臓と縦隔のＲＯＩについて、心臓縦隔比率を同様に表示する。Ｒ／Ｌボタン１２０がクリックされると、ＣＰＵ２０は、右肺と左肺のＲＯＩについて、左右肺比率を同様に表示する。
【００７４】
上記のように、ＳＰＥＣＴデータに基づいてプラナー画像を生成するようにしているので、実際にプラナー画像装置にて撮像する場合であれば消化管が邪魔をして適切な画像が得られないような場合であっても、所望のプラナー画像を得ることができる。
【００７５】
４．検証
実施形態に係るプラナー画像生成装置によってＳＰＥＣＴデータから生成されたプラナー画像と、プラナー画像撮像装置によって撮像されたプラナー画像とを比較するための実験を行った。
【００７６】
ＳＰＥＣＴ画像およびプラナー画像を撮像するためのガンマカメラ・画像処理装置として以下のものを用いた。ガンマカメラは、PHILIPS社製のBrightView:ＣＨＲコリメータを用いた。画像処理装置は、PHILIPS社製のJETstreamWorkspace:IDL Image Manuipulationを用いた。
【００７７】
図１１Ａに示すようなファントム（京都化学社製の心臓肝臓ファントムLH型）を用いた。肝臓、肺野部、心臓右心室を模擬することが可能な構造となっている。通常、肺野部には、濃度を調整した放射性医薬品を封入するが、この実験においては、図１１Ａに示すような発泡スチロール（0.5mm〜4mmの球状：好ましくは1mmの球状）を肺野部に投入した。その上で、濃度を調整した放射性医薬品を封入するようにしている。これにより、肺をより正確にシミュレーションすることができる。
【００７８】
心臓右心室部分には、40KBq/mlの201TICl水溶液を封入した。肺野部には、放射能濃度を1KBq/ml〜8KBq/mlまで、1KBq/mlごとに増加させた８種類の201TICl水溶液を入れ替えて封入した。
【００７９】
上記ガンマカメラによって、プラナー画像およびＳＰＥＣＴ画像（スペクトデータ）を撮像し、ＳＰＥＣＴデータに基づいてプラナー画像（以下ＳＰＥＣＴプラナー画像と呼ぶ）を生成した。なお、ＳＰＥＣＴ撮像は、１８０度収集、３６０度収集の双方にて行った。
【００８０】
図１２に、肺野部に注入した放射能濃度を1KBq/ml〜8KBq/mlまで変化させたファントムのプラナー画像を示す。図１３に、同じファントムについてのＳＰＥＣＴプラナー画像（１８０度収集）を示す。
【００８１】
次に、プラナー画像、ＳＰＥＣＴプラナー画像（１８０度収集）、ＳＰＥＣＴプラナー画像（３６０度収集）の肺野内に設定したＲＯＩ（関心領域）における放射能濃度（平均値）の直線性を比較した。その結果を、図１４に示す。下段の四角で囲った領域８０が肺野内に設定したＲＯＩである。
【００８２】
左から、プラナー画像、ＳＰＥＣＴプラナー画像（１８０度収集）、ＳＰＥＣＴプラナー画像（３６０度収集）である。ＳＰＥＣＴプラナー画像（１８０度収集）、ＳＰＥＣＴプラナー画像（３６０度収集）も、プラナー画像と同様の直線性を示している。
【００８３】
また、プラナー画像、ＳＰＥＣＴプラナー画像（１８０度収集）、ＳＰＥＣＴプラナー画像（３６０度収集）の肺心比率の直線性を比較した。肺野内、心臓右心室に設定したＲＯＩにおける放射能濃度（平均値）の比の直線性を比較した。その結果を図１５に示す。下段の四角で囲った領域８０が肺野内に設定したＲＯＩ、丸で囲った領域８２が心臓右心室内に設定したＲＯＩである。
【００８４】
左から、プラナー画像、ＳＰＥＣＴプラナー画像（１８０度収集）、ＳＰＥＣＴプラナー画像（３６０度収集）である。ＳＰＥＣＴプラナー画像（１８０度収集）、ＳＰＥＣＴプラナー画像（３６０度収集）も、プラナー画像と同様の直線性を示している。
【００８５】
図１６の左側に、プラナー画像による肺心比率とＳＰＥＣＴプラナー画像（１８０度収集）による肺心比率との相関関係を示す。図１６の右側に、プラナー画像による肺心比率とＳＰＥＣＴプラナー画像（３６０度収集）による肺心比率との相関関係を示す。いずれも極めて高い相関関係が示されている。
【００８６】
４．その他
(1)上記実施形態では、核医学検査三次元データとしてＳＰＥＣＴデータを用いている。しかし、ＰＥＴ装置によって撮像したＰＥＴデータなど他の核医学検査三次元データを用いることができる。この場合、放射性医薬品として、18F-FDG、18F-Flurpiridaz等を用いることができる。
【００８７】
(2)上記実施形態では、プラナー画像とともにその解析値も表示している。しかし、プラナー画像のみを表示するようにしてもよい。
【００８８】
(3)上記実施形態では、心臓と肺（および縦隔）を注目領域としてプラナー画像を生成している。しかし、左肺と右肺、肝臓と心臓、骨と軟部組織、心臓などの臓器と臓器の無い部分など比較すべき２以上の領域を注目領域としてプラナー画像を生成するようにしてもよい。また、一つの臓器などを注目領域としてプラナー画像を生成するようにしてもよい。
【００８９】
なお、肝臓を注目領域とする場合、放射性医薬品として、99mTcスズコロイド、99mTcフィチン酸、99mTc-GSA、99mTc-PMT等を用いることができる。また、骨を注目領域とする場合、放射性医薬品として、99mTc-MDP、99mTc-HMDP等を用いることができる。
【００９０】
(4)上記実施形態では、図１７に示すように、異断面ＤＳＣ１〜ＤＳＣ２６の全てを合成してプラナー画像を生成している。しかし、注目領域（ここでは心臓と肺）の画像を含む断面のみ（図１７の場合であれば、異断面ＤＳＣ４〜ＤＳＣ２３）を合成してプラナー画像を生成するようにしてもよい。
【００９１】
注目領域の画像を含む異断面は、画像の特徴からＣＰＵ２０が自動的に選択する様にしてもよい。また、三次元ＳＰＥＣＴ画像と異断面をディスプレイに表示し、操作者がマウスなどによって選択するようにしてもよい。
【００９２】
また比較すべき臓器ごとに、当該臓器の画像を含む断面でプラナー画像を生成してもよい。この場合、臓器ごとにプラナー画像が生成されることになる。
【００９３】
(5)上記実施形態では、輪郭強調、鮮鋭度向上などの画質改善のためのフィルタリング処理を行った後のＳＰＥＣＴ画像を用いてプラナー画像を生成している。しかし、フィルタリング処理を施していないＳＰＥＣＴ画像を用いてプラナー画像を生成してもよい。この場合、生成されたプラナー画像をそのまま用いてもよいし、生成されたプラナー画像に対して輪郭強調、鮮鋭度向上などの画質改善のためのフィルタリング処理を施してもよい。
【００９４】
(6)上記実施形態では、異断面データのカウント値を単純に合計することで合成してプラナー画像を生成している。しかし、平均値としてプラナー画像を生成したり、所定値にて正規化してプラナー画像を生成してもよい。
【００９５】
また、体表からの距離に応じてウエイトづけを行って合計するようにしてもよい。たとえば、体表からの距離が近いほど、ウエイトを高くするようにして加算する。
【００９６】
(7)上記実施形態では、図８に示すようなユーザインターフェイスにてプラナー画像生成の方向・範囲を決定している。方向は、冠状面、矢状面、横断面のいずれかから選択するようにしているが、自由な角度から選択できるようにしてもよい。これにより、より適切な方向からのプラナー画像を得ることができる。このように異断面の角度を自由に設定した場合、異断面上にＳＰＥＣＴデータが存在しないケースが生じる。このような場合、ＣＰＵ２０は、空間的にＳＰＥＣＴデータのカウント値を補完して、異断面上のカウント値を決定する。
【００９７】
(8)図８のようなユーザインターフェイスに代えて、図１８に示すような画面を用いてもよい。この画面において、操作者は、マウス３０を用いて、表示された人体５０を、矢状面、冠状面、横断面に沿って自由に回転させて向きを変えることができる。たとえば、正面からのプラナー画像を生成したい場合には、人体５０を真正面に向けるように調整する。
【００９８】
この時、ＣＰＵ２０は、ＳＰＥＣＴデータに基づく画像を人体５０とともに表示する。これにより、操作者は、好ましいプラナー画像を得るための角度を調整することができる。
【００９９】
また、ＣＰＵ２０は、プラナー画像を生成する範囲を示す枠５２を画面上に表示する。操作者は、注目領域（たとえば、心臓と肺）が入るように、この枠５２の位置や大きさをマウス３０によって操作することができる。この実施形態では、枠５２の向きは画面に水平な方向に固定されている。
【０１００】
なお、人体５０向きを変えずに、枠５２の向きを変えるように構成してもよい。あるいは、双方の向きを変えるように構成してもよい。
【０１０１】
角度・枠が決定し操作者が決定ボタン５４をクリックすると、ＣＰＵ２０は、その時の方向および枠５２を、プラナー画像生成のための方向・領域として決定する。
【０１０２】
なお、角度や範囲を数値によって指示するようにしてもよい。
【０１０３】
(9)上記実施形態では、プラナー画像生成装置１４を、院内のネットワークに接続している。しかし、図１９に示すように、インターネット上のサーバ装置として構築してもよい。
【０１０４】
この場合、病院などの端末装置７８から、サーバ装置１４にアクセスし、ＳＰＥＣＴデータを送信する。サーバ装置１４の三次元データ取得手段７０は、端末装置７８からのＳＰＥＣＴデータを取得する。
【０１０５】
異断面データ生成手段７２は、被験者の体軸方向に垂直な検査画像による三次元画像（ＳＰＥＣＴデータ）に基づいて、たとえば体軸方向に水平な断面であって、心臓や肺などの注目領域を含む異断面の異断面データを生成する。さらに、この異断面に水平な複数の異断面における異断面データを生成する。合成手段７４は、これら複数の異断面データを合成してプラナー画像を生成する。送信手段７６は、生成したプラナー画像を端末装置７８に送信する。
【０１０６】
したがって、サーバ装置１４にアクセスする環境があれば、ＳＰＥＣＴデータに基づくプラナー画像を得ることができる。
【０１０７】
(10)上記実施形態では、画像処理装置１１とは別にプラナー画像生成装置１４を設けてている。しかし、画像処理装置１１においてプラナー画像生成処理を行うようにしてもよい。
【０１０８】
この場合の、ガンマカメラ１０、画像処理装置１１の機能ブロック図を図２０に示す。この例では、ガンマカメラ１０、画像処理装置１１によって核医学検査装置が構築されている。なお、ガンマカメラ１０、画像処理装置１１を一体として構成してもよい。
【０１０９】
ガンマカメラ１０の検出部３は被検者の体内に注入された放射線源からの放射量を検出する。三次元データ生成手段５は、検出データを再構築してＳＰＥＣＴデータを生成する。
【０１１０】
画像処理装置１１の異断面データ生成手段４は、ＳＰＥＣＴデータに基づいて異断面データを生成する。合成手段６は、複数の異断面データを合成してプラナー画像を生成する。
【０１１１】
(11)上記実施形態では、被験者の体軸方向に垂直な断面を検査断面にて核医学検査三次元データを取得し、これに基づいてプラナー画像を生成している。しかし、体軸に水平な方向など他の方向の検査断面における核医学検査三次元データを取得し、これに基づいてプラナー画像を生成してもよい。
【０１１２】
(12)上記実施形態およびその変形例は、その本質に反しない限り互いに組み合わせて実施可能である。
【図１】
2020079745.tif 000003
【図２】
2020079745.tif 000004
【図３】
2020079745.tif 000005
【図４】
2020079745.tif 000006
【図５】
2020079745.tif 000007
【図６】
2020079745.tif 000008
【図７】
2020079745.tif 000009
【図８】
2020079745.tif 000010
【図９Ａ】
2020079745.tif 000011
【図９Ｂ】
2020079745.tif 000012
【図１０】
2020079745.tif 000013
【図１１】
2020079745.tif 000014
【図１２】
2020079745.tif 000015
【図１３】
2020079745.tif 000016
【図１４】
2020079745.tif 000017
【図１５】
2020079745.tif 000018
【図１６】
2020079745.tif 000019
【図１７】
2020079745.tif 000020
【図１８】
2020079745.tif 000021
【図１９】
2020079745.tif 000022
【図２０】
2020079745.tif 000023